(57)【要約】【課題】回路基板や嵌合相手の電気コネクタ等を省略することによって電気コネクタの構成を極めて簡易なものとすることを可能とする。【解決手段】製品筐体ＭＦの壁部に対して単体のプラグコネクタ１０が直接的に嵌合されるようになっており、その単体のプラグコネクタ１０の嵌合状態において、嵌合孔ＭＦａの内周壁部に露出している配線パターンＣＰの接点部にコンタクト１２の接点部が接触されるため、従来から用いられている回路基板や、その回路基板に実装される嵌合相手となる電気コネクタを介在することなく、信号伝送媒体の電気的な接続が簡易な構成で行われるように構成したものである。【選択図】図２
2011146189.tif 000002
【特許請求の範囲】
【請求項１】
製品筐体の壁部の表面上に形成された配線パターンに、信号伝送媒体の端末部を電気的に接続するものであって、
前記配線パターンに弾性的に接触する接点部を有するコンタクトが、絶縁ハウジングに取り付けられた電気コネクタにおいて、
前記絶縁ハウジングが、前記製品筐体の壁部に形成された嵌合孔内に挿入されて嵌合可能となるように構成されたものであって、
前記配線パターンに、前記嵌合孔の内周壁面に露出する接点部が設けられているとともに、
前記コンタクトの接点部は、前記絶縁ハウジングが嵌合孔に嵌合された状態において前記配線パターンの接点部に接触するように構成されていることを特徴とする電気コネクタ。
【請求項２】
製品筐体の壁部の表面上に形成された配線パターンと、
その配線パターンに接点部が接触することによって信号伝送媒体の端末部を電気的に接続するコンタクトが絶縁ハウジングに取り付けられた電気コネクタと、
を備えた電気コネクタ組立体において、
前記製品筐体の壁部に、前記電気コネクタの絶縁ハウジングが挿入されて嵌合される嵌合孔が形成されたものであって、
前記配線パターンに、前記嵌合孔の内周壁面に露出する接点部が設けられているとともに、
前記コンタクトの接点部は、前記絶縁ハウジングが嵌合孔に嵌合された状態において前記配線パターンの接点部に接触するように構成されていることを特徴とする電気コネクタ組立体。
【請求項３】
前記嵌合孔が、前記製品筐体の壁部を貫通するように形成されているとともに、その嵌合孔の開口縁部に係合するロック部が設けられたものであって、
前記ロック部が、前記コンタクトに隣接するように配置されていることを特徴とする請求項１記載の電気コネクタ又は請求項２のいずれかに記載の電気コネクタ組立体。
【請求項４】
前記ロック部が、前記信号伝送媒体の延在方向に沿って延在するように形成されていることを特徴とする請求項１記載の電気コネクタ又は請求項２のいずれかに記載の電気コネクタ組立体。
【請求項５】
前記コンタクトが、信号を伝送するシグナルコンタクトと、そのシグナルコンタクトの両側に配置された接地用のグランドコンタクトと、からなることを特徴とする請求項１記載の電気コネクタ又は請求項２のいずれかに記載の電気コネクタ組立体。
【発明の詳細な説明】
【技術分野】
【０００１】
本発明は、信号伝送媒体の端末部を配線パターンに電気的に接続する電気コネクタ及び電気コネクタ組立体に関する。
【背景技術】
【０００２】
一般に、携帯電話等の種々の電子機器又は電気機器において、細線同軸ケーブルやフレキシブル配線基板、或いは印刷配線基板等からなる各種信号電送媒体の端末部分を、電気コネクタを用いて印刷配線基板側に接続することが広く行われている（例えば下記の特許文献１参照）。電気コネクタは、信号伝送媒体の端末部分を所定の配線パターン（回路）に接続するものであるが、通常は、例えば図１１に示されているように、製品筐体１の内部に取り付けられた回路基板２にリセプタクルコネクタ３を実装しておき、そのリセプタクルコネクタ３に対して、細線同軸ケーブル等からなる信号伝送媒体４の端末部分を連結したプラグコネクタ５を嵌合させる構成になされている。なお、このときに用いられている電気コネクタ３，５の機能は、信号線を通して必要な情報信号の伝送を行うとともに、シールド線を通して接地用のシールド信号をグランド回路に接続させるものである。
【０００３】
一方、近年になって電子機器等の小型化・薄型化が急速に進められており、それにともなって電気コネクタの低背化及び低コスト化が図られている。そのため、上述した電気コネクタ３，５の構成を簡易化することが強く要請されている。しかしながら、製品筐体１は樹脂成形材料で製作されているため、耐熱性が低く製品筐体に直接半田付けや電子部品の実装が出来ない状況である。従って、通常に用いられているいずれの電気コネクタも、配線パターンを有する印刷配線基板２に一方の電気コネクタ（リセプタクルコネクタ）３を実装し、他方の電気コネクタ（プラグコネクタ）５を嵌合状態とするという基本的な構成を備えたものとなっており、そのような基本的な構成の制約から、大幅な低背化及び低コスト化を図ることは難しくなって来ている。
【先行技術文献】
【特許文献】
【０００４】
【特許文献１】特開２００１−４３９３９号公報
【特許文献２】特開２００２−３２４６３６号公報
【発明の開示】
【発明が解決しようとする課題】
【０００５】
そこで本発明は、簡易な構成によって、低背化及び低コスト化を大幅に図ることができるようにした電気コネクタを提供することを目的とする。
【課題を解決するための手段】
【０００６】
上記目的を達成するため本発明においては、製品筐体の壁部の表面上に形成された配線パターンに、信号伝送媒体の端末部を電気的に接続するものであって、前記配線パターンに弾性的に接触する接点部を有するコンタクトが、絶縁ハウジングに取り付けられた電気コネクタにおいて、前記絶縁ハウジングが、前記製品筐体の壁部に形成された嵌合孔内に挿入されて嵌合可能となるように構成されたものであって、前記配線パターンに、前記嵌合孔の内周壁面に露出する接点部が設けられているとともに、前記コンタクトの接点部は、前記絶縁ハウジングが嵌合孔に嵌合された状態において前記配線パターンの接点部に接触する構成が採用されている。
【０００７】
また、本発明においては、製品筐体の壁部の表面上に形成された配線パターンと、その配線パターンに接点部が接触することによって信号伝送媒体の端末部を電気的に接続するコンタクトが絶縁ハウジングに取り付けられた電気コネクタとを備えた電気コネクタ組立体において、前記製品筐体の壁部に、前記電気コネクタの絶縁ハウジングが挿入されて嵌合される嵌合孔が形成されたものであって、前記配線パターンに、前記嵌合孔の内周壁面に露出する接点部が設けられているとともに、前記コンタクトの接点部は、前記絶縁ハウジングが嵌合孔に嵌合された状態において前記配線パターンの接点部に接触する構成が採用されている。
【０００８】
このような構成によれば、製品筐体の壁部に対して単体のコネクタが直接的に嵌合されるようになっており、その単体のコネクタの嵌合状態において、嵌合孔の内周壁部に露出している配線パターンの接点部にコンタクトの接点部が接触される。そのため、従来から用いられている回路基板や、その回路基板に実装される嵌合相手となる電気コネクタを介在することなく、信号伝送媒体の電気的な接続が簡易な構成で行われるようになっている。
【０００９】
また、本発明においては、前記嵌合孔が、前記製品筐体の壁部を貫通するように形成されているとともに、その嵌合孔の開口縁部に係合するロック部が設けられたものであって、前記ロック部が、前記コンタクトに隣接するように配置されていることが望ましい。
【００１０】
このような構成とすれば、コンタクトの接点部がロック部の近傍に配置されることから、コンタクトの電気的な接続状態が安定的に維持される。
【００１１】
また、本発明においては、前記ロック部が、前記信号伝送媒体の延在方向に沿って延在するように形成されていることが望ましい。
【００１２】
このような構成とすれば、ロック部の保持力が、信号伝送媒体の延在方向に沿って長尺状に発生することとなるため、例えば信号伝送媒体を持ち上げて煽るような負荷に対する保持性が高められ、コネクタの嵌合状態が安定的に維持される。
【００１３】
また、本発明における前記コンタクトは、信号を伝送するシグナルコンタクトと、そのシグナルコンタクトの両側に配置された接地用のグランドコンタクトとからなることが望ましい。
【００１４】
このような構成とすれば、シグナルコンタクトの両側にグランドコンタクトが配置されているため、シグナルコンタクトに対するインピーダンス等の調整が良好に行われる。
【発明の効果】
【００１５】
以上述べたように本発明は、製品筐体の壁部に対して単体のコネクタが直接的に嵌合されるようになっており、その単体のコネクタの嵌合状態において、嵌合孔の内周壁部に露出している配線パターンの接点部にコンタクトの接点部が接触されるため、従来から用いられている回路基板や、その回路基板に実装される嵌合相手となる電気コネクタを介在することなく、信号伝送媒体の電気的な接続が簡易な構成で行われるように構成したものであるから、回路基板や嵌合相手の電気コネクタ等を省略することによって電気コネクタの構成を極めて簡易なものとすることができ、電気コネクタの低背化及び低コスト化を大幅に図ることができる。
【図面の簡単な説明】
【００１６】
【図１】本発明の一実施形態にかかる電気コネクタを用いた接続作業の途中状態を表した外観斜視説明図である。
【図２】図１に示された本発明の一実施形態にかかるプラグコネクタを嵌合孔に嵌合させる前の状態を前方側から表した外観斜視説明図である。
【図３】図１及び図２に示された本発明の一実施形態にかかるプラグコネクタの構造を下方側から表した外観斜視説明図である。
【図４】図１及び図２に示されたプラグコネクタを上方側から表した平面説明図である。
【図５】図４の中の V − V 線に沿った縦断面説明図である。
【図６】図４の中の VI − VI 線に沿った縦断面説明図である。
【図７】図１〜図６に示されたプラグコネクタに対して信号伝送媒体としての細線同軸ケーブルを連結する前の状態を後方側から表した外観斜視説明図である。
【図８】図７に示されたプラグコネクタに用いられている導電性シェルの単体を表した外観斜視説明図である。
【図９】図１〜図６に示されたプラグコネクタに対して信号伝送媒体としての細線同軸ケーブルをセットした状態を後方側から表した外観斜視説明図である。
【図１０】図１〜図６に示されたプラグコネクタに対して信号伝送媒体としての細線同軸ケーブルをセットした後に導電性シェルの蓋部を折り曲げて被せた状態を後方側から表した外観斜視説明図である。
【図１１】通常用いられている一般の電気コネクタによる接続状態を表した外観斜視説明図である。
【発明を実施するための最良の形態】
【００１７】
以下、信号伝送媒体として細線同軸ケーブルを用いて、電子機器の製品筐体に対して上方側から直接的に嵌合するように構成された垂直嵌合型の電気コネクタに本発明を適用した場合の実施形態についての説明を図面に基づいて詳細に行う。
【００１８】
すなわち、図１〜図６に示されている本発明の一実施形態にかかるプラグコネクタ１０は、信号伝送媒体としての細線同軸ケーブルＳＣの端末部分を、所定の電子回路を有する携帯電話等の電子機器を構成している製品筐体ＭＦの壁部の表面上に形成された配線パターンＣＰに対して電気的に接続するように構成されたものであって、製品筐体ＭＦを構成している壁部の内表面又は外表面には、アンテナや種々の回路の一部を構成する配線パターンＣＰが印刷等により形成されている。
【００１９】
前記製品筐体ＭＦの壁部には、当該製品筐体ＭＦの壁部を貫通するようにして嵌合孔ＭＦａが形成されており、その製品筐体ＭＦの壁部に設けられた嵌合孔ＭＦａにプラグコネクタ１０が嵌合されるようになっている。そのプラグコネクタ１０には、信号伝送媒体としての細線同軸ケーブルＳＣの端末部が連結されており、当該細線同軸ケーブルＳＣが連結されたプラグコネクタ１０が、まず図１及び図２に示されているようにして前記嵌合孔ＭＦａの上方に対面するように配置される。そして、そのように上方側に配置されたプラグコネクタ１０が、前記製品筐体ＭＦの壁部の表面に対して略直交する方向に下降されていき、図５及び図６に示されているように嵌合孔ＭＦａの内部に挿入されるようにして嵌合される。
【００２０】
このように製品筐体ＭＦの嵌合孔ＭＦａにプラグコネクタ１０が嵌合された状態において、細線同軸ケーブルＳＣの端末部が配線パターンＣＰに接続されるようになっているが、以下において、プラグコネクタ１０を差し込む方向を下方向とし、それとは反対に抜き出す抜去方向を上方向とする。
【００２１】
このとき、上述したように製品筐体ＭＦの壁部に形成された嵌合孔ＭＦａは、平面視において略矩形状をなす角孔から形成されており、その嵌合孔ＭＦａの開口部を形成している一端縁部、より具体的には当該嵌合孔ＭＦａの前端縁部には、上述した配線パターンＣＰの信号導電路ＣＰａの端末部が延出するように形成されている。また、その嵌合孔ＭＦａの一端縁部（前端縁部）に隣接する両側縁部には、前記配線パターンＣＰのグランド導電路ＣＰｂが、前記信号導電路の両側に沿って略平行に延出するように形成されている。これら配線パターンＣＰの信号導電路ＣＰａ、及びグランド導電路ＣＰｂは、前記嵌合孔ＭＦａの内周壁面に露出するように形成されていて、それら内周壁面への露出部分が接点部になされている。
【００２２】
また、上述した嵌合孔ＭＦａの一端縁部（前端縁部）には、孔内に向かって突出する突起部ＭＦｂが設けられており、その突起部ＭＦｂを位置決めとして、前記嵌合孔ＭＦａの内部にプラグコネクタ１０が挿入されるようになっている。この嵌合孔ＭＦａの前端縁部に設けられた突起部ＭＦｂの突出端面には、上述した配線パターンＣＰの信号導電路ＣＰａの接点部が形成されている。
【００２３】
一方、プラグコネクタ１０は、前述したように嵌合孔ＭＦａに対して上方側から嵌合される垂直嵌合型コネクタを構成するものであるが、そのプラグコネクタ１０には、信号伝送媒体の一例としての細線同軸ケーブルＳＣの端末部分が連結されている。以下、プラグコネクタ１０において、細線同軸ケーブルＳＣが連結される側の端縁部を「後端縁部」と呼び、それと反対側の端縁部を「前端縁部」と呼ぶこととする。また、それらプラグコネクタ１０の後端縁部及び前端縁部に対応する前記嵌合孔ＭＦａの各端縁部についても同様に後端縁部及び前端縁部と呼ぶこととする。さらに、それらの後端縁部及び前端縁部に向かう各々の方向を「後方」及び「前方」と呼ぶものとする。
【００２４】
上述した信号伝送媒体としての細線同軸ケーブルＳＣの端末部分は、外周被覆材が皮剥きされることによってケーブル中心導体（信号線）ＳＣａ及びケーブル外部導体（シールド線）ＳＣｂが同軸状をなすように露出されており、当該細線同軸ケーブルＳＣの中心軸線に沿うようにして配置されたケーブル中心導体ＳＣａが、絶縁ハウジング１１に取り付けられた信号用導電端子（シグナルコンタクト）１２に接続されることによって信号回路が構成されるようになっている。また、上記ケーブル中心導体ＳＣａの外周側を取り囲むように配置されたケーブル外部導体ＳＣｂが、後述する導電性シェル１４に一体的に設けられたグランド用導電端子（グランドコンタクト）１３に接続されることによってグランド回路が構成されるようになっている。
【００２５】
このようなプラグコネクタ１０の絶縁ハウジング１１は、上述したように細線同軸ケーブルＳＣ、信号用導電端子（シグナルコンタクト）１２及びグランド用導電端子（グランドコンタクト）１３を保持する絶縁本体部１１ａを有している。この絶縁本体部１１ａは、嵌合相手である製品筐体ＭＦ側の嵌合孔ＭＦａの内部に対して当該絶縁本体部１１ａの下端部分から挿入されるように構成されていて、その絶縁本体部１１ａの挿入側である最下端部分には、傾斜面からなる挿入案内部１１ｂが設けられている。
【００２６】
また、前記絶縁本体部１１ａの外側表面は、薄板金属状部材からなる導電性シェル１４によって覆われている。この導電性シェル１４は、特に図７及び図８に示されているように、前記絶縁本体部１１ａの外周側面を環状に覆うシェル本体部１４ａと、絶縁本体部１１ａの上面部を覆うシェル蓋部１４ｂとから構成されている。このうちのシェル本体部１４ａの後端部分には、縦断面略半円形状をなすケーブル支持部１４ｃが、後方側に向かって略水平に突出するように設けられており、そのケーブル支持部１４ｃの内壁面に対して、上述した細線同軸ケーブルＳＣの端末部分が載置されて受けられるようになっている。
【００２７】
さらに、前記導電性シェル１４のシェル蓋部１４ｂは、上述した細線同軸ケーブルＳＣの端末部分を連結する前の初期状態においては、図７及び図８に示されているような開放状態になされている。すなわち、その初期状態におけるシェル蓋部１４ｂは、上述したケーブル支持部１４ｃの反対側、つまりシェル本体部１４ａの前端部分に、細幅の連結板１４ｄを介して略鉛直上方に立ち上がるように形成されている。その連結板１４ｄの内表面側には、絶縁ハウジング１１の絶縁本体部１１ａから上方に立ち上がる絶縁押圧板１１ｃが沿うようにして配置されている。
【００２８】
そして、上述したような導電性シェル１４の開放状態において、細線同軸ケーブルＳＣの端末部分が、図９のようにケーブル支持部１４ｃに受けられるように載置されてセットされた後、図１０に示されているようにして連結板１４ｄが、前記絶縁押圧板１１ｃとともに略直角に折り曲げられ、導電性シェル１４のシェル蓋部１４ｂが略水平状態まで押し倒される。これによって、絶縁ハウジング１１の絶縁本体部１１ａがシェル蓋部１４ｂにより上方側から覆われて導電性シェル１４が閉塞状態になされる。
【００２９】
このときのシェル蓋部１４ｂは、シェル本体部１４ａを外側から覆うように被せられているとともに、上述したケーブル支持部１４ｃ及び細線同軸ケーブルＳＣを外側から覆うように構成になされている。すなわち、そのシェル蓋部１４ｂには、ケーブル支持部１４ｃ及び細線同軸ケーブルＳＣに相当する位置に、第１保持部１４ｅ及び第２保持部１４ｆが、横断面コの字形状をなすように設けられている。それらの第１保持部１４ｅ及び第２保持部１４ｆは、横断面コの字形状における開放側部分が、ケーブル支持部１４ｃ及び細線同軸ケーブルＳＣに対面するように形成されており、前述したようにシェル蓋部１４ｂが略水平状態まで押し倒された際に、ケーブル支持部１４ｃ及び細線同軸ケーブルＳＣを縦断面コの字形状に覆うように構成されている。そして、それらの第１保持部１４ｅ及び第２保持部１４ｆの開放部分を構成している両側板状部材の先端部分が、図１０の矢印Ａで示されているようにして内方側に折り曲げられ、カシメが行われることによって固定状態になされることにより、ケーブル外部導体ＳＣｂがケーブル支持部１４ｃと第１保持部１４ｅとに接触することで導電性シェル１４によるグランド回路が構成されることとなる。
【００３０】
また、前述したグランド用導電端子（グランドコンタクト）１３は、前記細線同軸ケーブルＳＣを挟んだ両側に配置されているが、導電性シェル１４のシェル本体部１４ａと一体的に設けられている。より具体的には、前記細線同軸ケーブルＳＣを挟んだ両側にはシェル本体部１４ａの上端縁部分が配置されているが、そのシェル本体部１４ａの上端縁部分の一部が、絶縁ハウジング１１側である内方側に向かって折り曲げられた後に下方に向かって片持ちビーム状をなすように延出している。そして、そのシェル本体部１４ａの上端縁部から下方に延出する片持ちビーム状部分が、グランド用導電端子１３及び係止板１５になされている。
【００３１】
それらのグランド用導電端子（グランドコンタクト）１３及び係止板１５は、前述した製品筐体ＭＦの嵌合孔ＭＦａ内に向かって挿入可能となるように配置されている。そのうちのグランド用導電端子１３の下端部分には、外方側に向かって張り出すように略「く」の字形状に折り曲げ成形された接点部１３ａが設けられている。このグランド用導電端子１３の接点部１３ａは、前記嵌合孔ＭＦａの内周壁面に露出しているグランド導電路ＣＰｂの接点部に対応する位置に配置されており、当該グランド用導電端子１３の片持ちビーム状構造による弾性変位作用によって両接点部どうしが圧接されることにより電気的な接続が行われる構成になされている。
【００３２】
一方、係止板１５は、上述したグランド用導電端子（グランドコンタクト）１３に沿うようにして下方に向かって延在しているが、そのグランド用導電端子１３を前後方向の両側から挟むようにして一対の係止板１５，１５が隣接するように設けられている。これらの各係止板１５の下端部分は、前記グランド用導電端子１３の接点部１３ａよりも更に下方に延出するように形成されていて、当該係止板１５の下端部分に、外方側に張り出すようにして略「く」の字形状に折り曲げ成形されたロック部１５ａが設けられている。
【００３３】
この係止板１５に設けられたロック部１５ａは、前記嵌合孔ＭＦａの下端側開口部から更に下方に突出するように形成されており、当該ロック部１５ａの外方側へ張り出している傾斜面部が、前記嵌合孔ＭＦａの開口縁に対応する位置に配置されている。そして、その係止板１５の片持ちビーム状構造による弾性変位作用によって両接点部どうしが圧接されることにより固定作用が行われる構成になされている。このような構成により、プラグコネクタ１０が製品筐体ＭＦに嵌合されて嵌合が完了する際には、係止板１５に設けられたロック部１５ａによりクリック感を得ることができる。
【００３４】
このとき、上述した一対の係止板１５，１５のロック部１５ａ，１５ａどうしは、下端部分において互いに一体的に連結されていて、その連結部分が、前記細線同軸ケーブルＳＣの延在方向に沿って延在するように形成されている。また、このロック部１５ａ，１５ａどうしが連結された構成によって、一対の係止板１５，１５がグランド用導電端子（グランドコンタクト）１３の周囲を取り囲む構成になされていて、これら一対の係止板１５，１５及びグランド用導電端子１３が、一枚の板状部材から切り出すようにして形成されるようになっている。このような構成により、プラグコネクタ１０が製品筐体ＭＦに嵌合される際は、グランド用導電端子１３の方が信号用導電端子１２よりも先に配線パターンＣＰに接触することとなり、グランド回路を保護回路として作用させることができる。
【００３５】
一方、上述したように信号を伝送するための信号用導電端子（シグナルコンタクト）１２は、絶縁ハウジング１１の絶縁本体部１１ａに圧入又はインサート成形等により取り付けられているが、当該信号用導電端子１２の両側に、上述した接地用のグランド用導電端子（グランドコンタクト）１３，１３が配置された構成になされている。
【００３６】
このときの信号用導電端子（シグナルコンタクト）１２は、特に図５に示されているように、上述した細線同軸ケーブルＳＣのケーブル中心導体（信号線）ＳＣａに接続されるケーブル挟持部１２ａと、そのケーブル挟持部１２ａから下方側に向かって湾曲状に延出して配線パターンＣＰの信号導電路ＣＰａに接触する弾性バネ部１２ｂとを有している。
【００３７】
そのうちのケーブル挟持部１２ａは、側面視において略Ｕ字形状をなすように折り曲げ形成されたクリップビーム構造を有しており、細線同軸ケーブルＳＣのケーブル中心導体（信号線）ＳＣａを上下からクリップ状に挟むように形成されている。このケーブル挟持部１２ａを構成している上側ビーム部１２ｃの途中部分には、前記ケーブル中心導体（信号線）ＳＣａを上方側から押圧する凹部が設けられている。また、この上側ビーム部１２ｃに設けられた凹部とケーブル中心導体ＳＣａを挟んで下方側に対向する位置には、絶縁ハウジング１１との係止を行うための係止部（図示省略）が設けられている。さらに、その係止部から後方側に信号用導電端子１２は延設されてから、下方側に折り曲げられ、再び前記係止部の位置くらいまで前方側に延びてから、下方側に曲げられて弾性バネ部１２ｂへと延びている。
【００３８】
なお、このケーブル挟持部１２ａの上側ビーム部１２ｃは、上述した細線同軸ケーブルＳＣの端末部分を連結する前の初期状態において、例えば図７及び図９に示されているような開放状態になされている。すなわち、その初期状態における上側ビーム部１２ｃは、斜め上方に向かって立ち上がる形状を有しており、細線同軸ケーブルＳＣの端末部分が図９のようにケーブル支持部１４ｃ上に載置されてセットされた状態から、図１０に示されているようにして導電性シェル１４のシェル蓋部１４ｂが絶縁押圧板１１ｃとともに略水平状態まで押し倒されると、当該ケーブル挟持部１２ａの上側ビーム部１２ｃが絶縁押圧板１１ｃによって略水平状態まで押し倒され、ケーブル中心導体（信号線）ＳＣａを上方側から押圧するように構成されている。
【００３９】
また、信号用導電端子（シグナルコンタクト）１２の弾性バネ部１２ｂは、上述したケーブル挟持部１２ａから絶縁本体部１１ａの内部を一旦下方に延出した後に、再び上方に向かって片持ちビーム状をなすように立ち上がるように形成されている。そして、この弾性バネ部１２ｂの上方立ち上がり部分の途中位置に、前述した嵌合孔ＭＦａの突起部ＭＦｂに設けられた信号導電路ＣＰａの接点部に接触する接点部１２ｄが前方に向かって張り出すように形成されている。この接点部１２ｄは、上述した片持ちビーム状をなす弾性バネ部１２ｂの弾性変位作用によって信号導電路ＣＰａの接点部に対して圧接されるように構成されている。
【００４０】
このように本実施形態においては、製品筐体ＭＦの壁部に対して単体のプラグコネクタ１０が直接的に嵌合されるようになっており、その単体のプラグコネクタ１０の嵌合状態において、嵌合孔ＭＦａの内周壁部に露出している配線パターンＣＰの信号導電路ＣＰａ及びグランド導電路ＣＰｂの各接点部に対して、信号用導電端子（シグナルコンタクト）１２及びグランド用導電端子（グランドコンタクト）１３の接点部が接触される。そのため、従来から用いられている回路基板や、その回路基板に実装される嵌合相手となる電気コネクタを介在することなく、信号伝送媒体の電気的な接続が簡易な構成で行われるようになっている。
【００４１】
また、本実施形態においては、グランド用導電端子（グランドコンタクト）１３に沿うようにして係止板１５が延在していることから、グランド用導電端子１３の接点部１３ａが係止板１５の近傍に配置されることとなって、グランド用導電端子１３の電気的な接続状態が安定的に維持されるようになっている。
【００４２】
また、本実施形態においては、係止板１５に設けられたロック部１５ａが、信号伝送媒体としての細線同軸ケーブルＳＣの延在方向に沿って延在するように形成されていることから、当該ロック部１５ａの保持力が、細線同軸ケーブルＳＣの延在方向に沿って長尺状に発生することとなるため、例えば細線同軸ケーブルＳＣを持ち上げて煽るような負荷に対する保持性が高められ、プラグコネクタ１０の嵌合状態が安定的に維持される。
【００４３】
また、本実施形態では、信号用導電端子（シグナルコンタクト）１２の両側に、接地用のグランド用導電端子（グランドコンタクト）１３，１３が配置された構成になされていることから、信号用導電端子１２に対するインピーダンス調整が良好に行われるようになっている。
【００４４】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４５】
例えば、上述した実施形態では、製品筐体ＭＦの壁部の表面上に形成された嵌合孔ＭＦａが角孔から形成されているが、平面略円形状の丸孔等の各種形状をなすように形成することも可能であり、また製品筐体ＭＦの壁部を貫通しない孔とすることも可能である。また、係止板１５のロック部１５ａとグランド用導電端子（グランドコンタクト）１３とが一体的に形成されているため、ロック部１５ａをグランド部材として用いることが可能であり、当該ロック部１５ａと嵌合孔ＭＦａの内壁面との接触位置にもグランド導電路を設けることでグランド回路を増加させることができ、ＥＭＩ効果や伝送特性の向上を図ることができる。
【００４６】
また、上述した実施形態は、垂直嵌合型の電気コネクタに本発明を適用したものであるが、水平嵌合型の電気コネクタに対しても同様に適用することができる。
【００４７】
さらに本発明は、上述した実施形態のような単体の細線同軸ケーブル用コネクタに限定されることはなく、多極状に配置された細線同軸ケーブル用コネクタや、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００４８】
以上のように本実施形態は、各種電気機器に使用される多種多様な電気コネクタに対して広く適用することが可能である。
【符号の説明】
【００４９】
１０  プラグコネクタ
１１  絶縁ハウジング
１１ａ  絶縁本体部
１１ｂ  挿入案内部
１１ｃ  絶縁押圧板
１２  信号用導電端子（シグナルコンタクト）
１２ａ  ケーブル挟持部
１２ｂ  弾性バネ部
１２ｃ  上側ビーム部
１２ｄ  接点部
１３  グランド用導電端子（グランドコンタクト）
１３ａ  接点部
１４  導電性シェル
１４ａ  シェル本体部
１４ｂ  シェル蓋部
１４ｃ  ケーブル支持部
１４ｄ  連結板
１４ｅ  第１保持部
１４ｆ  第２保持部
１５  係止板
１５ａ  ロック部
ＳＣ  細線同軸ケーブル（信号伝送媒体）
ＳＣａ  ケーブル中心導体（信号線）
ＳＣｂ  ケーブル外部導体（シールド線）
ＭＦ  製品筐体
ＭＦａ  嵌合孔
ＭＦｂ  突起部
ＣＰ  配線パターン
ＣＰａ  信号導電路
ＣＰｂ  グランド導電路
【図１】
2011146189.tif 000003
【図２】
2011146189.tif 000004
【図３】
2011146189.tif 000005
【図４】
2011146189.tif 000006
【図５】
2011146189.tif 000007
【図６】
2011146189.tif 000008
【図７】
2011146189.tif 000009
【図８】
2011146189.tif 000010
【図９】
2011146189.tif 000011
【図１０】
2011146189.tif 000012
【図１１】
2011146189.tif 000013
【手続補正書】
【提出日】平成22年12月29日(2010.12.29)
【手続補正２】
【補正対象書類名】明細書
【補正対象項目名】０００５
【補正方法】変更
【補正の内容】
【０００５】
そこで本発明は、簡易な構成によって、低背化及び低コスト化を大幅に図ることができるようにした電気コネクタ及び電気コネクタ組立体を提供することを目的とする。
【手続補正３】
【補正対象書類名】特許請求の範囲
【補正対象項目名】全文
【補正方法】変更
【補正の内容】
【特許請求の範囲】
【請求項１】
所定の電子回路を有する電子機器を構成する製品筐体の壁部の表面上に形成された配線パターンに、信号伝送媒体の端末部を電気的に接続するものであって、
前記配線パターンに弾性的に接触する接点部を有するコンタクトが、絶縁ハウジングに取り付けられた電気コネクタにおいて、
前記絶縁ハウジングが、前記製品筐体の壁部に形成された嵌合孔内に挿入されて嵌合可能となるように構成されたものであって、
前記配線パターンに、前記嵌合孔の内周壁面に露出する接点部が設けられているとともに、
前記コンタクトの接点部は、前記絶縁ハウジングが嵌合孔に嵌合された状態において前記配線パターンの接点部に接触するように構成されていることを特徴とする電気コネクタ。
【請求項２】
前記嵌合孔が、前記製品筐体の壁部を貫通するように形成されているとともに、その嵌合孔の開口縁部に係合するロック部が設けられたものであって、
前記ロック部が、前記コンタクトに隣接するように配置されていることを特徴とする請求項１記載の電気コネクタ。
【請求項３】
前記ロック部が、前記信号伝送媒体の延在方向に沿って延在するように形成されていることを特徴とする請求項１記載の電気コネクタ。
【請求項４】
前記コンタクトが、信号を伝送するシグナルコンタクトと、そのシグナルコンタクトの両側に配置された接地用のグランドコンタクトと、からなることを特徴とする請求項１記載の電気コネクタ。
【請求項５】
所定の電子回路を有する電子機器を構成するものであって、壁部の表面上に信号を伝送する配線パターンが形成された製品筐体と、
請求項１乃至請求項４のいずれかに記載の電気コネクタと、
からなることを特徴とする電気コネクタ組立体。